(57)【要約】【課題】エレベーターの主ロープの交換時において秤装置が故障することを抑制することができるエレベーターの秤装置の保護装置を提供する。【解決手段】エレベーターの秤装置の保護装置は、エレベーターのかごの上枠をロープで吊って前記かごを保持する際に、前記上枠に設けられた秤装置を覆い、前記ロープに接触することにより前記ロープが前記秤装置と接触することを抑制する保護部、を備えた。当該保護装置によれば、エレベーターの主ロープの交換時において秤装置が故障することを抑制することができる。【選択図】図４
2019142660.tif 000002
【特許請求の範囲】
【請求項１】
エレベーターのかごの上枠をロープで吊って前記かごを保持する際に、前記上枠に設けられた秤装置を覆い、前記ロープに接触することにより前記ロープが前記秤装置と接触することを抑制する保護部、
を備えたエレベーターの秤装置の保護装置。
【請求項２】
前記保護部は、複数の機器が前記上枠において互いに隣接して設けられている場合に、前記秤装置を覆い、前記ロープに接触し、前記ロープが前記秤装置と接触することを抑制する請求項１に記載のエレベーターの秤装置の保護装置。
【請求項３】
前記保護部の一側に設けられ、前記ロープが前記上枠に沿って水平方向に移動することを抑制する一側移動抑制部と、
前記保護部の他側に設けられ、前記ロープが前記上枠に沿って水平方向に移動することを抑制する他側移動抑制部と、
を備えた請求項１または請求項２に記載のエレベーターの秤装置の保護装置。
【請求項４】
前記保護部は、前記ロープに接触することにより前記ロープが前記秤装置と接触することを抑制した状態を維持しながら、前記かごの重量の分布に応じて前記秤装置を覆った位置から前記秤装置を覆わない位置に前記上枠に沿って移動する請求項１から請求項３のいずれか１項に記載のエレベーターの秤装置の保護装置。
【発明の詳細な説明】
【技術分野】
【０００１】
この発明は、エレベーターの秤装置の保護装置に関する。
【背景技術】
【０００２】
特許文献１は、エレベーターの秤装置を開示する。秤装置は、かご枠の上枠に設けられる。秤装置は、かごにかかる荷重を検出し得るように設けられる。
【先行技術文献】
【特許文献】
【０００３】
【特許文献１】特開２０００−３５１５３８号公報
【発明の概要】
【発明が解決しようとする課題】
【０００４】
特許文献１に記載の秤装置を備えたエレベーターにおいて、主ロープを交換する際、上枠を吊り上げるロープが秤装置の付近に掛けられることもある。この際、秤装置がロープに接触することもある。その結果、秤装置が故障することもある。
【０００５】
この発明は、上述の課題を解決するためになされた。この発明の目的は、エレベーターの主ロープの交換時において秤装置が故障することを抑制することができるエレベーターの秤装置の保護装置を提供することである。
【課題を解決するための手段】
【０００６】
この発明に係るエレベーターの秤装置の保護装置は、エレベーターのかごの上枠をロープで吊って前記かごを保持する際に、前記上枠に設けられた秤装置を覆い、前記ロープに接触することにより前記ロープが前記秤装置と接触することを抑制する保護部、を備えた。
【発明の効果】
【０００７】
この発明によれば、保護部は、秤装置を覆う。保護部は、ロープに接触することによりロープが秤装置と接触することを抑制する。このため、エレベーターの主ロープの交換時において秤装置が故障することを抑制することができる。
【図面の簡単な説明】
【０００８】
【図１】実施の形態１におけるエレベーターの秤装置の保護装置が適用されるエレベーターの構成図である。
【図２】実施の形態１におけるエレベーターの秤装置の保護装置が適用されるエレベーターのかごの上枠を上方から見た際の平面図である。
【図３】実施の形態１におけるエレベーターの秤装置の保護装置が利用された際の斜視図である。
【図４】実施の形態１におけるエレベーターの秤装置の保護装置が利用された際の縦断面図である。
【図５】実施の形態１におけるエレベーターの秤装置の保護装置が利用された際の斜視図である。
【図６】実施の形態１におけるエレベーターの秤装置の保護装置が適用されるエレベーターのかごの外観図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターの秤装置の保護装置が適用されるエレベーターの構成図である。
【００１１】
図１のエレベーターにおいて、昇降路１は、建築物の各階を貫く。機械室２は、昇降路１の直上に設けられる。図示されない複数の乗場の各々は、建築物の各階に設けられる。複数の乗場の各々は、昇降路１に対向する。
【００１２】
巻上機３は、機械室２に設けられる。綱車４は、巻上機３の回転軸に取り付けられる。主ロープ５は、綱車４の溝に巻き掛けられる。
【００１３】
かご６は、昇降路１の内部に設けられる。かご６は、かご枠７を備える。かご枠７は、かご６を支持する。かご枠７の上枠７ａは、主ロープ５の一側に支持される。釣合オモリ８は、昇降路１の内部に設けられる。釣合オモリ８は、主ロープ５の他側に支持される。
【００１４】
エレベーターにおいて、巻上機３が回転すると、綱車４が回転する。綱車４が回転すると、主ロープ５が移動する。主ロープ５が移動すると、かご６と釣合オモリ８とが互いに反対方向に昇降する。
【００１５】
主ロープ５の交換時において、釣合オモリ８は、パイプ９等で支持される。かご枠７の上枠７ａは、ロープＡ等を介してフック１０等に吊り上げられた状態で保持される。その後、主ロープ５が取り外される。その後、図示されない新しい主ロープが取り付けられる。
【００１６】
次に、図２から図６を用いて、かご６を吊り上げる方法を説明する。
図２は実施の形態１におけるエレベーターの秤装置の保護装置が適用されるエレベーターのかごの上枠を上方から見た際の平面図である。図３は実施の形態１におけるエレベーターの秤装置の保護装置が利用された際の斜視図である。図４は実施の形態１におけるエレベーターの秤装置の保護装置が利用された際の縦断面図である。図５は実施の形態１におけるエレベーターの秤装置の保護装置が利用された際の斜視図である。図６は実施の形態１におけるエレベーターの秤装置の保護装置が適用されるエレベーターのかごの外観図である。
【００１７】
図２に示されるように、複数の機器１１は、上枠７ａの長手方向に沿って上枠７ａの上面に設けられる。
【００１８】
例えば、複数の機器１１のうちの１つとして、秤装置１１ａは、上枠７ａの中央部付近に設けられる。秤装置１１ａは、主ロープ５に隣接する。上枠７ａの短手方向において、秤装置１１ａは、上枠７ａの両側にはみ出す。秤装置１１ａは、主ロープ５に対する上枠７ａの鉛直方向の変位に基づいてかご６にかかる荷重を検出し得るように設けられる。
【００１９】
例えば、複数の機器１１のうちの１つとして、空調装置１１ｂは、上枠７ａの一端部付近に設けられる。上枠７ａの短手方向において、空調装置１１ｂは、上枠７ａの両側にはみ出す。空調装置１１ｂは、かご６の内部の空調を制御し得るように設けられる。
【００２０】
例えば、複数の機器１１のうちの１つとして、照明装置１１ｃは、上枠７ａの他端部付近に設けられる。上枠７ａの短手方向において、照明装置１１ｃは、上枠７ａの両側にはみ出す。照明装置１１ｃは、かご６の内部の照明を制御し得るように設けられる。
【００２１】
図３に示されるように、上枠７ａは、ハット状に形成される。上枠７ａは、複数の溝を備える。複数の溝の一方は、上枠７ａの一側に設けられる。複数の溝の他方は、上枠７ａの他側に設けられる。
【００２２】
保護装置１２は、秤装置１１ａに対して用いられる。例えば、保護装置１２は、金属で形成される。例えば、保護装置１２は、鉄で形成される。
【００２３】
具体的には、保護装置１２は、保護部１３と一側移動抑制部１４と他側移動抑制部１５とを備える。
【００２４】
保護部１３は、下側に開口するように設けられる。保護部１３は、秤装置１１ａの両側と上側とを覆うように配置される。保護部１３の一側の下端部は、上枠７ａの一側の溝に嵌まる。保護部１３の他側の下端部は、上枠７ａの他側の溝に嵌まる。その結果、保護部１３は、秤装置１１ａとの間に鉛直方向の隙間を空けて配置される。
【００２５】
一側移動抑制部１４は、保護部１３の一側に設けられる。一側移動抑制部１４は、一対の一側ガイド部１４ａを備える。一対の一側ガイド部１４ａの各々は、保護部１３の一側から水平方向に向けて外側に突き出す。
【００２６】
他側移動抑制部１５は、保護部１３の他側に設けられる。他側移動抑制部１５は、一対の他側ガイド部１５ａを備える。一対の他側ガイド部１５ａの各々は、保護部１３の他側から水平方向に向けて外側に突き出す。
【００２７】
図４に示されるように、ロープＡは、上枠７ａと保護装置１２とに対して掛けられる。この際、ロープＡの一側は、保護部１３の一側の上部に接触する。ロープＡの他側は、保護部１３の他側の上部に接触する。
【００２８】
その結果、ロープＡは、保護装置１２よりも内側に移動することを抑制される。このため、秤装置１１ａは、ロープＡとの接触を抑制される。
【００２９】
この状態において、主ロープ５が取り外されると、保護装置１２は、自動調芯機能を発揮する。具体的には、図５に示されるように、保護部１３は、ロープＡに接触することによりロープＡが秤装置１１ａと接触することを抑制した状態を維持しながら、かごの重量の分布に応じて秤装置１１ａを覆った位置から秤装置１１ａを覆わない位置に上枠７ａに沿って矢印の方向に移動する。
【００３０】
その結果、図６に示されるように、かご６は、かご枠７とロープＡとを介してフック１０にバランスよく保持される。
【００３１】
以上で説明した実施の形態１によれば、保護装置１２において、保護部１３は、秤装置１１ａを覆う。保護部１３は、ロープＡに接触することによりロープＡが秤装置１１ａと接触することを抑制する。このため、エレベーターの主ロープ５の交換時において秤装置１１ａが故障することを抑制することができる。
【００３２】
また、当該保護装置１２を利用すれば、エレベーターの主ロープ５の交換時において秤装置１１ａを取り外す必要がなくなる。このため、エレベーターの主ロープ５の交換後に秤装置１１ａを再設定する必要がなくなる。その結果、エレベーターの主ロープ５の交換に伴う作業を減らすことができる。
【００３３】
特に、複数の機器１１が上枠７ａにおいて互いに隣接して設けられている場合、ロープＡを掛け得る位置は、秤装置１１ａの付近にしか存在しない。この場合でも、保護部１３は、ロープＡに接触することによりロープＡが秤装置１１ａと接触することを抑制する。このため、エレベーターの主ロープ５の交換時において秤装置１１ａが故障することを確実に抑制することができる。
【００３４】
また、一側移動抑制部１４と他側移動抑制部１５とでロープＡを案内してもよい。この場合、保護部１３に対するロープＡの位置が変化することを抑制できる。その結果、かご６を安定して吊り上げることができる。
【００３５】
また、主ロープ５が取り外された際、保護装置１２は、自動調芯機能を発揮する。このため、かご６を安定して吊り上げることができる。
【００３６】
また、保護装置１２を２重にしてもよい。具体的には、第１の保護装置１２を第２の保護装置１２で覆ってもよい。この場合、より確実に秤装置１１ａを保護することができる。その結果、秤装置１１ａが故障することをより確実に抑制することができる。
【００３７】
また、金属以外で保護装置１２を形成してもよい。具体的には、ロープＡとの接触により変形しにくい材料で保護装置１２を形成すればよい。この場合も、エレベーターの主ロープ５の交換時において秤装置１１ａが故障することを抑制することができる。
【符号の説明】
【００３８】
１  昇降路、  ２  機械室、  ３  巻上機、  ４  綱車、  ５  主ロープ、  ６  かご、  ７  かご枠、  ７ａ  上枠、  ８  釣合オモリ、  ９  パイプ、  １０  フック、  １１  機器、  １１ａ  秤装置、  １１ｂ  空調装置、  １１ｃ  照明装置、  １２  保護装置、  １３  保護部、  １４  一側移動抑制部、  １４ａ  一側ガイド部、  １５  他側移動抑制部、  １５ａ  他側ガイド部
【図１】
2019142660.tif 000003
【図２】
2019142660.tif 000004
【図３】
2019142660.tif 000005
【図４】
2019142660.tif 000006
【図５】
2019142660.tif 000007
【図６】
2019142660.tif 000008